(57)【要約】【課題】テレビ映像信号のＶＢＩに重畳されるＶＢＩデータを確実に抽出していることを示すことができ、ユーザのＶＢＩデータが受信されているかどうかの不信感を取り除くとともに、前記データ放送受信装置が前記ＶＢＩデータを取得しているかどうかの検査にかかる手間と、時間を削減する。【解決手段】ＶＢＩデータの抽出を開始する時間を記憶する記憶し（Ｓ１１）、ＶＢＩデータの抽出を開始する時間になる前に前記データ放送受信装置の電源を投入する（Ｓ１２）ともに、ＶＢＩデータの抽出を行うべく前記データ放送受信装置に電源が投入されたことを示す一次表示を行い（Ｓ１３）、データ放送受信装置の起動処理を行い（Ｓ１４）、起動処理が終了したことを示す二次表示を行う（Ｓ１５）。【選択図】図２
2007180978.tif 000002
【特許請求の範囲】
【請求項１】
受信したテレビ映像信号のＶＢＩ（Ｖｅｒｔｉｃａｌ  Ｂｌａｎｋｉｎｇ  Ｉｎｔｅｒｖａｌ）に重畳されているデータ信号を抽出し記録するハードディスクレコーダであって、
テレビ放送を受信する選局手段と、
前記選局手段にて受信されたテレビ信号を復調する復調手段と、
前記復調手段にて復調されたテレビ信号に含まれる映像信号のＶＢＩに重畳されたデータであるＶＢＩデータを抽出する信号処理手段と、
前記抽出されたＶＢＩデータを記録媒体であるハードディスクに記録するための記録手段と、
前記テレビ映像信号を受信して前記ＶＢＩデータの抽出を行うべく前記ハードディスクレコーダに電源が投入されたことを示す一次表示を行うための一次表示手段と、
前記ハードディスクレコーダが前記ＶＢＩデータを抽出し記録することができる状態になったことを示す二次表示を行うための二次表示手段と、
ユーザにより予め設定されている前記ＶＢＩデータの抽出を開始する時間を記憶しておく記憶手段と、
前記各手段を制御する制御手段とを備えており、
前記制御手段は前記記憶手段にて記憶されているＶＢＩデータの抽出開始時間になる前に前記ハードディスクレコーダに電源を投入した後、前記一次表示手段にて一次表示を行い、前記各手段に対して起動処理を行い、当該起動処理が終了した後、前記二次表示手段にて二次表示を行った後、前記信号処理手段にて前記ＶＢＩデータの抽出を開始するとともに、前記記録手段にて前記ＶＢＩデータを前記ハードディスクに記録することを特徴とするハードディスクレコーダ。
【請求項２】
受信したテレビ映像信号のＶＢＩ（Ｖｅｒｔｉｃａｌ  Ｂｌａｎｋｉｎｇ  Ｉｎｔｅｒｖａｌ）に重畳されたデータ信号を抽出するデータ放送受信装置であって、
テレビ放送を受信する選局手段と、
前記選局手段にて受信されたテレビ信号を復調する復調手段と、
前記復調手段にて復調されたテレビ信号に含まれる映像信号のＶＢＩに重畳されたデータであるＶＢＩデータを抽出する信号処理手段と、
前記テレビ映像信号を受信して前記ＶＢＩデータの抽出を行うべく前記データ放送受信装置に電源が投入されたことを示す一次表示を行うための一次表示手段と、
前記データ放送受信装置が前記ＶＢＩデータを抽出することができる状態になったことを示す二次表示を行うための二次表示手段と、
予め設定されている前記ＶＢＩデータの抽出を開始する時間を記憶しておく記憶手段と、
前記各手段を制御する制御手段とを備えており、
前記制御手段は前記記憶手段に記憶されているＶＢＩデータの抽出開始時間になる前に前記データ放送受信装置に電源を投入した後、前記一次表示手段にて一次表示を行い、前記各手段に対して起動処理を行い、当該起動処理が終了した後、前記二次表示手段にて二次表示を行い、前記信号処理手段にてＶＢＩデータの抽出を開始することを特徴とするデータ放送受信装置。
【請求項３】
前記データ放送受信装置は前記信号処理手段にて抽出されたＶＢＩデータを記録媒体に記録する記録手段を備えており、前記二次表示手段にて二次表示を行った後前記信号処理手段にてＶＢＩデータを抽出するとともに、前記記録手段にて前記ＶＢＩデータを前記記録媒体に記録することを特徴とする請求項２に記載のデータ放送受信装置。
【請求項４】
受信したテレビ映像信号のＶＢＩ（Ｖｅｒｔｉｃａｌ  Ｂｌａｎｋｉｎｇ  Ｉｎｔｅｒｖａｌ）に重畳されているデータ信号を抽出し記録するハードディスクレコーダにおけるＶＢＩデータの抽出方法であって、
ユーザにより予め設定されている前記ＶＢＩデータの抽出を開始する時間を記憶する記憶工程と、
前記記憶工程にて記憶されたＶＢＩデータの抽出を開始する時間になる前に前記ハードディスクレコーダの電源を投入する電源投入工程と、
前記テレビ映像信号を受信して前記ＶＢＩデータの抽出を行うべく前記ハードディスクレコーダに電源が投入されたことを示す一次表示を行うための一次表示工程と、
前記ハードディスクレコーダの起動処理を行う起動処理工程と、
前記ハードディスクレコーダの起動処理が終了したことを示す二次表示を行うための二次表示工程と、
テレビ放送を受信する選局工程と、
前記選局手段にて受信されたテレビ信号を復調する復調工程と、
前記復調手段にて復調されたテレビ信号に含まれる映像信号のＶＢＩに重畳されたデータであるＶＢＩデータを抽出する信号処理工程と、
前記抽出されたＶＢＩデータを記録媒体であるハードディスクに記録するための記録工程とを有することを特徴とするＶＢＩデータの抽出方法。
【請求項５】
受信したテレビ映像信号のＶＢＩ（Ｖｅｒｔｉｃａｌ  Ｂｌａｎｋｉｎｇ  Ｉｎｔｅｒｖａｌ）に重畳されているデータ信号を記録するデータ放送受信装置におけるＶＢＩデータの抽出方法であって、
予め設定されている前記ＶＢＩデータの抽出を開始する時間を記憶する記憶工程と、
前記記憶工程にて記憶されたＶＢＩデータの抽出を開始する時間になる前に前記データ放送受信装置の電源を投入する電源投入工程と、
前記テレビ映像信号を受信して前記ＶＢＩデータの抽出を行うべく前記データ放送受信装置に電源が投入されたことを示す一次表示を行うための一次表示工程と、
前記データ放送受信装置の起動処理を行う起動処理工程と、
前記データ放送受信装置の起動処理が終了したことを示す二次表示を行うための二次表示工程と、
テレビ放送を受信する選局工程と、
前記選局手段にて受信されたテレビ信号を復調する復調工程と、
前記復調手段にて復調されたテレビ信号に含まれる映像信号のＶＢＩに重畳されたデータであるＶＢＩデータを抽出する信号処理工程とを有することを特徴とするＶＢＩデータの抽出方法。
【請求項６】
前記信号処理工程にて抽出されたＶＢＩデータを記録媒体に記録する記録工程を備えていることを特徴とする請求項５に記載のＶＢＩデータの抽出方法。
【発明の詳細な説明】
【技術分野】
【０００１】
本発明は、テレビ映像信号のＶＢＩ（Ｖｅｒｔｉｃａｌ  Ｂｌａｎｋｉｎｇ  Ｉｎｔｅｒｖａｌ）に重畳されたデータであるＶＢＩデータを抽出するデータ放送受信装置や更にその抽出したＶＢＩデータを記録するハードディスクレコーダ及びＶＢＩデータの抽出、記録方法に関するものである。
【背景技術】
【０００２】
現在、テレビ映像信号の垂直帰線消去期間（Ｖｅｒｔｉｃａｌ  Ｂｌａｎｋｉｎｇ  Ｉｎｔｅｒｖａｌ：ＶＢＩ）に重畳されたデータであるＶＢＩデータを利用して、電子番組表（Ｅｌｅｃｔｒｏｎｉｃ  Ｐｒｏｇｒａｍ  Ｇｕｉｄｅ：ＥＰＧ）や字幕放送等のコンテンツを配信するデータ放送が行われている。
【０００３】
前記データ放送は、所定の周波数（チャンネル）のテレビ映像信号のＶＢＩに重畳させて配信されている。また、配信されるコンテンツとしては、ＥＰＧ、ニュース、天気予報等があり、これらのコンテンツは常に配信されているわけではなく、1日に1度又は数度決められた時間に配信されるものである。
【０００４】
データ放送受信装置はテレビ放送を受信し、テレビ放送に含まれる映像信号のＶＢＩに重畳されているＶＢＩデータを抽出することができるものである。前記データ放送受信装置はユーザが所望するコンテンツを取得するために、該コンテンツが配信される時間になると、自動的に電源を投入し起動する。このとき、記録媒体の駆動音や、冷却ファン等が起動による騒音が発生し、データ放送受信装置の表示部に各種表示が行われ、ユーザは前記データ放送受信装置に電源が投入されたことを認識する。前記データ放送受信装置はＶＢＩデータを抽出するために電源を自動的に投入するときは、前記表示部にＶＢＩデータを抽出するべくデータ放送受信装置に電源が投入されたことを示す一次表示を行い、ＶＢＩデータ抽出を行う旨をユーザに対して明示する。
【０００５】
特開平１１−２７５５３９号公報に記載された発明では、ＶＢＩに重畳されたＶＢＩデータを受信し、その受信したＶＢＩデータを識別するための識別情報を検出し、検出した識別情報と一致した場合、システムの電源を投入するものを示している。
【特許文献１】特開平１１−２７５５３９号公報
【発明の開示】
【発明が解決しようとする課題】
【０００６】
しかしながら、前記データ放送受信装置は起動とともにフロントディスプレイにデータ放送を受信するために起動している旨の一次表示が出るが、前記データ放送受信装置を構成する各部の起動処理中は前記ＶＢＩデータを取得することができず、電源が投入されているにもかかわらずＶＢＩを抽出できない状態が続くので、前記データ放送受信装置が故障しているか、前記ＶＢＩデータを抽出できていない等の不具合が発生しているとユーザに認識されてしまうことがありえる。
【０００７】
また、前記データ放送受信装置の製造段階において、映像信号よりＶＢＩデータを抽出する検査を行うときに、実際に映像信号のＶＢＩにＶＢＩデータ抽出検査用データを重畳したテレビ信号を送信し、前記データ放送受信装置で前記検査用に送信されたテレビ信号に含まれているＶＢＩデータを抽出して検査しているが、前記ＶＢＩデータ抽出検査用データが重畳されたテレビ放送を送信するタイミングを見極めるのが難しく、前記データ放送自信装置に電源を投入した後、十分な時間をとって送信する必要があった。また、この検査でＶＢＩデータを取得できなかった場合、前記データ放送受信装置に問題があるのか、送信したテレビ信号に問題があるのか、それ以外の部分に問題があるのか原因を特定しにくい。
【０００８】
特開平１１−２７５５３９号公報に記載された発明では、データ放送を受信するために、ＶＢＩ抽出手段及びＶＢＩ監視手段は常にＶＢＩを使用して送られるデータを受信するために起動しており、ユーザにとってデータ放送受信装置が現在どのような動作をしているか確認しにくい。
【０００９】
そこで本発明は、受信されたテレビ映像信号のＶＢＩに重畳されるＶＢＩデータを抽出するデータ放送受信装置において、ＶＢＩデータを抽出するために前記データ放送受信装置に電源を投入したこと、前記データ放送受信装置によるＶＢＩデータの抽出状態を正確にユーザに伝達することを目的とする。
【００１０】
また本発明は、前記データ放送受信装置の映像信号より前記ＶＢＩデータを抽出する検査にかかる手間と、時間を削減することを目的とする。
【課題を解決するための手段】
【００１１】
上記目的を達成するために本発明は、受信したテレビ映像信号のＶＢＩ（Ｖｅｒｔｉｃａｌ  Ｂｌａｎｋｉｎｇ  Ｉｎｔｅｒｖａｌ）に重畳されたデータ信号を抽出するデータ放送受信装置であって、テレビ放送を受信する選局手段と、前記選局手段にて受信されたテレビ信号を復調する復調手段と、前記復調手段にて復調されたテレビ信号に含まれる映像信号のＶＢＩに重畳されたデータであるＶＢＩデータを抽出する信号処理手段と、前記テレビ映像信号を受信して前記ＶＢＩデータの抽出を行うべく前記データ放送受信装置に電源が投入されたことを示す一次表示を行うための一次表示手段と、前記データ放送受信装置が前記ＶＢＩデータを抽出することができる状態になったことを示す二次表示を行うための二次表示手段と、予め設定されている前記ＶＢＩデータの抽出を開始する時間を記憶しておく記憶手段と、前記各手段を制御する制御手段とを備えており、前記制御手段は前記記憶手段に記憶されているＶＢＩデータの抽出開始時間になる前に前記データ放送受信装置に電源を投入した後、前記一次表示手段にて一次表示を行い、前記各手段に対して起動処理を行い、当該起動処理が終了した後、前記二次表示手段にて二次表示を行い、前記信号処理手段にてＶＢＩデータの抽出を開始することを特徴とする。
【００１２】
この構成によると、受信された映像信号のＶＢＩに重畳されたＶＢＩデータを抽出するべく前記データ放送受信装置に電源が投入されたことを示す一次表示手段による一次表示と、前記データ放送受信装置の起動処理を行い、当該起動処理が終了した後にＶＢＩデータが抽出できることを示す二次表示手段による二次表示が行われるので、ユーザはデータ放送受信装置がＶＢＩデータを抽出するために自動的に電源投入されたこと、ＶＢＩデータを抽出することができるようになったことを視覚的に認識することができる。
【００１３】
これにより、前記データ放送受信装置に自動的に電源投入がなされても、ＶＢＩデータを抽出するための電源投入であり、前記データ放送受信装置が前記ＶＢＩデータを抽出することができるかどうか現在の状態をユーザに正確に伝達することができる。
【００１４】
また、前記二次表示を行うので、前記データ放送受信装置の製造段階において、前記ＶＢＩデータの抽出検査用の映像信号のＶＢＩにＶＢＩデータを重畳した放送信号を送信するときに、該ＶＢＩデータを重畳したテレビ信号を送信するタイミングを前記データ放送受信装置がＶＢＩデータの抽出が開始できるようになるタイミングに正確にあわせることができる。
【００１５】
これにより、ＶＢＩデータ抽出検査用のデータ放送の送信を行うとき、必要以上に送信を遅らせたり、送信のタイミングが早すぎて再度ＶＢＩデータ抽出検査用のテレビ信号を送信し直したりする手間、時間を省くことができる。
【００１６】
上記構成において、前記データ放送受信装置は前記信号処理手段にて抽出されたＶＢＩデータを記録媒体に記録する記録手段を備えており、前記二次表示手段にて二次表示を行った後前記信号処理手段にてＶＢＩデータを抽出するとともに、前記記録手段にて前記ＶＢＩデータを前記記録媒体に記録するものであってもよい。
【００１７】
上記目的を達成するために本発明は、受信したテレビ映像信号のＶＢＩ（Ｖｅｒｔｉｃａｌ  Ｂｌａｎｋｉｎｇ  Ｉｎｔｅｒｖａｌ）に重畳されているデータ信号を抽出し記録するハードディスクレコーダであって、テレビ放送を受信する選局手段と、前記選局手段にて受信されたテレビ信号を復調する復調手段と、前記復調手段にて復調されたテレビ信号に含まれる映像信号のＶＢＩに重畳されたデータであるＶＢＩデータを抽出する信号処理手段と、前記抽出されたＶＢＩデータを記録媒体であるハードディスクに記録するための記録手段と、前記テレビ映像信号を受信して前記ＶＢＩデータの抽出を行うべく前記ハードディスクレコーダに電源が投入されたことを示す一次表示を行うための一次表示手段と、前記ハードディスクレコーダが前記ＶＢＩデータを抽出し記録することができる状態になったことを示す二次表示を行うための二次表示手段と、ユーザにより予め設定されている前記ＶＢＩデータの抽出を開始する時間を記憶しておく記憶手段と、前記各手段を制御する制御手段とを備えており、前記制御手段は前記記憶手段にて記憶されているＶＢＩデータの抽出開始時間になる前に前記ハードディスクレコーダに電源を投入した後、前記一次表示手段にて一次表示を行い、前記各手段に対して起動処理を行い、当該起動処理が終了した後、前記二次表示手段にて二次表示を行った後、前記信号処理手段にて前記ＶＢＩデータの抽出を開始するとともに、前記記録手段にて前記ＶＢＩデータを前記ハードディスクに記録することを特徴とする。
【００１８】
上記目的を達成するために本発明は、受信したテレビ映像信号のＶＢＩ（Ｖｅｒｔｉｃａｌ  Ｂｌａｎｋｉｎｇ  Ｉｎｔｅｒｖａｌ）に重畳されているデータ信号を記録するデータ放送受信装置におけるＶＢＩデータの抽出方法であって、予め設定されている前記ＶＢＩデータの抽出を開始する時間を記憶する記憶工程と、前記記憶工程にて記憶されたＶＢＩデータの抽出を開始する時間になる前に前記データ放送受信装置の電源を投入する電源投入工程と、前記テレビ映像信号を受信して前記ＶＢＩデータの抽出を行うべく前記データ放送受信装置に電源が投入されたことを示す一次表示を行うための一次表示工程と、前記データ放送受信装置の起動処理を行う起動処理工程と、前記データ放送受信装置の起動処理が終了したことを示す二次表示を行うための二次表示工程と、テレビ放送を受信する選局工程と、前記選局手段にて受信されたテレビ信号を復調する復調工程と、前記復調手段にて復調されたテレビ信号に含まれる映像信号のＶＢＩに重畳されたデータであるＶＢＩデータを抽出する信号処理工程とを有することを特徴とする。
【００１９】
上記構成において、前記信号処理工程にて抽出されたＶＢＩデータを記録媒体に記録する記録工程を備えていてもよい。
【００２０】
上記目的を達成するために本発明は、受信したテレビ映像信号のＶＢＩ（Ｖｅｒｔｉｃａｌ  Ｂｌａｎｋｉｎｇ  Ｉｎｔｅｒｖａｌ）に重畳されているデータ信号を抽出し記録するハードディスクレコーダにおけるＶＢＩデータの抽出方法であって、ユーザにより予め設定されている前記ＶＢＩデータの抽出を開始する時間を記憶する記憶工程と、前記記憶工程にて記憶されたＶＢＩデータの抽出を開始する時間になる前に前記ハードディスクレコーダの電源を投入する電源投入工程と、前記テレビ映像信号を受信して前記ＶＢＩデータの抽出を行うべく前記ハードディスクレコーダに電源が投入されたことを示す一次表示を行うための一次表示工程と、前記ハードディスクレコーダの起動処理を行う起動処理工程と、前記ハードディスクレコーダの起動処理が終了したことを示す二次表示を行うための二次表示工程と、テレビ放送を受信する選局工程と、前記選局手段にて受信されたテレビ信号を復調する復調工程と、前記復調手段にて復調されたテレビ信号に含まれる映像信号のＶＢＩに重畳されたデータであるＶＢＩデータを抽出する信号処理工程と、前記抽出されたＶＢＩデータを記録媒体であるハードディスクに記録するための記録工程とを有することを特徴とする。
【発明の効果】
【００２１】
本発明によると、映像信号のＶＢＩに重畳されているＶＢＩデータを抽出するために前記データ放送受信装置の電源が投入され、前記データ放送受信装置がＶＢＩデータを取得できる状態になったことを、二次表示手段にて二次表示して明示することができ、映像信号のＶＢＩに重畳されるＶＢＩデータを確実に受信していることを示すことができ、ユーザのＶＢＩデータが受信されているかどうかの不信感を取り除くことができる。
【００２２】
また本発明によると、映像信号のＶＢＩに重畳されているＶＢＩデータを抽出するために前記データ放送受信装置の電源が投入され、前記データ放送受信装置がＶＢＩデータを取得できる状態になったことを、二次表示手段にて二次表示して明示することができ、前記ＶＢＩデータを含んでいるデータ放送を適切なタイミングで送信することができるので、前記ＶＢＩデータを取得しているかどうかの検査にかかる手間と、時間を削減することができる。
【発明を実施するための最良の形態】
【００２３】
以下に本発明の実施形態を図面を参照して説明する。図１は本発明にかかるデータ放送受信装置の一例のブロック図である。図１に示すデータ放送受信装置Ａは、少なくとも、選局部１と、復調部２と、信号処理部３と、メモリ４と、表示部５と、制御部６と、出力部９を備えている。
【００２４】
選局部１は選局したいチャンネルのテレビ信号をアンテナＡＮＴを介して受信し、受信したテレビ信号である高周波信号を中間周波数信号（ＩＦ信号）に変換するものである。中間周波数信号は映像ＩＦ信号及び音声ＩＦ信号が含まれる。復調部２は選局部１にて受信された中間周波数信号を復調するものである。復調後のテレビ信号には映像信号と音声信号が含まれている。
【００２５】
信号処理部３は、復調部２にて復調されたテレビ信号の処理を行うとともに、映像信号のＶＢＩに重畳されているＶＢＩデータの抽出も行なう。
【００２６】
メモリ４はデータ放送受信装置Ａが保持している各種データを一時的に記憶する記憶媒体であり、例えば書込可能なＲＡＭ（Ｒａｎｄｏｍ  Ａｃｃｅｓｓ  Ｍｅｍｏｒｙ）等を備えている。
【００２７】
表示部５は、データ放送受信装置Ａの現在の状態をユーザに示すものであり、ＶＢＩデータを抽出するためにデータ放送受信装置Ａに電源を投入したことを示す一次表示を行うためのデータ放送表示部５１及び信号処理部３がＶＢＩデータを抽出することができる状態であることを示す二次表示を行うためのＶＢＩデータ抽出表示部５２とを備えている。それ以外にも、待機状態のときに表示されるスタンバイ状態表示部５０１、時間表示部５０２を備えている。またこれらに限定されるものではなく、データ放送受信装置Ａの動作にあわせて多くの状態表示部を備えていてもよい。
【００２８】
制御部６は、データ放送受信装置Ａの各部の駆動を有機的に制御することにより、テレビ信号の受信処理を統括制御するための中央処理装置である。また制御部６はデータ放送受信装置Ａの各部の制御やデータの演算等を行う中枢部分である。制御部６としては、たとえばＣＰＵやマイコン等の演算処理装置を備えている。
【００２９】
出力部９は、信号処理部３で処理されたテレビ信号を、ＣＲＴ等の外部機器に出力するための出力インターフェースである。
【００３０】
図２に図１に示すデータ放送受信装置にてＶＢＩデータを抽出するフローチャートを示す。制御部６はユーザが所望するコンテンツ（例えば、電子番組表、天気予報、交通情報等）を取得するためのＶＢＩデータの抽出開始時間を取得しメモリ４に記録する（ステップＳ１１）。なお、このＶＢＩデータの抽出開始時間の取得は、図示を省略したキーボードやリモートコントロール装置或いはインターネット等（いずれも不図示）を介して実現できる。制御部６はメモリ４に記録されているＶＢＩデータの抽出開始時間を検出し、メモリ４に記録されているＶＢＩデータを抽出する時間が近づいてくると、データ放送受信装置Ａに電源を投入する（ステップＳ１２）。この場合、制御部６は計時機能を備えているとよい。
【００３１】
ステップＳ１２においてデータ放送受信装置Ａに電源が投入されると、制御部６は表示部５の中に配置されているデータ放送表示部５１に指示を送り、データ放送表示部５１にてＶＢＩデータを抽出するべく電源が投入されたことを示す一次表示を行う（ステップＳ１３）。
【００３２】
制御部６はデータ放送受信装置Ａに電源が投入されると、データ放送受信装置Ａを構成する各部の起動処理を行う（ステップＳ１４）。ここで、起動処理とは選局部１、信号処理部３、メモリ４等、各部の接続状態のチェック、動作確認等、データ放送受信装置Ａの駆動に支障がないことを確認する処理である。
【００３３】
この起動処理は、接続されている各部の接続状態等によって長くなる場合がある。その間、データ放送受信装置Ａはテレビ放送を受信することができないので、ＶＢＩデータも抽出されていない。
【００３４】
データ放送受信装置Ａの起動処理が開始されると、内部機器を冷却するための冷却用のファン（図示省略）が回転したりするので、ユーザはデータ放送受信装置Ａの電源が自動的に投入されたことを認識する。このとき、データ放送表示部５１が一次表示を行っているので、ユーザはＶＢＩデータを抽出するためにデータ放送受信装置Ａに電源が投入されたと認識することができる。
【００３５】
データ放送受信装置Ａの起動処理（ステップＳ１４）が終了すると、制御部６は表示部５のＶＢＩデータ抽出表示部５２に指示を送り、ＶＢＩデータ抽出表示部５２にてＶＢＩデータを抽出することが可能になったことを示す二次表示を行う（ステップＳ１５）。この時点でデータ放送受信装置Ａはテレビ放送を受信することができるようになる。選局部１はテレビ信号をアンテナを介して受信し、受信したテレビ信号である高周波信号を中間周波数信号（ＩＦ信号）に変換する（ステップＳ１６）
【００３６】
ステップＳ１６で変換された中間周波数信号を復調部２にて復調する（ステップＳ１７）。復調部２にて復調されたテレビ信号は映像信号と音声信号を含んでいる。復調部２で復調されたテレビ信号に含まれる映像信号は信号処理部３送られ、信号処理部３はＶＢＩに重畳されているＶＢＩデータを抽出する（ステップＳ１８）。
【００３７】
図３は本発明にかかるデータ放送受信装置の他の例のブロック図である。図３に示すデータ放送受信装置はそれには限定されないが、ここではハードディスクレコーダである。図３に示すハードディスクレコーダＢは、少なくとも、選局部１と、復調部２と、信号処理部３ｂと、メモリ４ｂと、表示部５ｂと、制御部６ｂと、ハードディスクドライブ７と、入出力部８とを備えている。また、入出力部８には外部映像機器としてＣＲＴが接続されている。選局部１、復調部２は図１に示すデータ放送受信装置Ａと同じであり、実質上同じ部分には同一の符号がふしてある。
【００３８】
選局部１は選局したいチャンネルのテレビ信号をアンテナを介して受信し、受信したテレビ信号である高周波信号を中間周波数信号（ＩＦ信号）に変換するものである。中間周波数信号は映像ＩＦ信号及び音声ＩＦ信号が含まれる。復調部２は選局部１にて受信された中間周波数信号を変調するものである。変調後のテレビ信号は映像信号と音声信号が含まれている。
【００３９】
信号処理部３ｂは、復調部２にて復調されたテレビ信号の処理を行うとともに、映像信号のＶＢＩに重畳されているＶＢＩデータの抽出も行なう。さらに、テレビ信号をハードディスクドライブ７に記録可能な方式（例えばＭＰＥＧ等の符号化されたデータ）に符号化するエンコーダ（不図示）、ハードディスクドライブ７に記録されているデータをＣＲＴ等の外部映像機器で再生できるテレビ信号に復号化するデコーダ（不図示）等も備えている。また信号処理部３ｂは、入出力部８と接続している。
【００４０】
メモリ４ｂはハードディスクレコーダＢが保持している各種データを一時的に記憶する記憶媒体であり、例えば書込可能なＲＡＭ（Ｒａｎｄｏｍ  Ａｃｃｅｓｓ  Ｍｅｍｏｒｙ）等を備えている。メモリ４ｂは各種データを一時的に記憶することでバッファメモリとして利用される。
【００４１】
表示部５ｂは、ハードディスクレコーダＢの現在の状態をユーザに示すものであり、ＶＢＩデータを抽出するためにハードディスクレコーダＢに電源を投入したことを示す一次表示を行うためのデータ放送表示部５１及び信号処理部３ｂがＶＢＩデータを抽出することができ、その抽出したＶＢＩデータをハードディスクドライブ７に記録することができる状態であることを示す二次表示を行うためのＶＢＩデータ抽出表示部５２とを備えている。それ以外にも、待機状態のときに表示されるスタンバイ状態表示部５０１、時間表示を行う時間表示部５０２、ハードディスクドライブ７に記録されているコンテンツを再生しているときに表示される再生状態表示部５０３、時間を指定して録画予約されているときに表示される予約表示部５０４を備えている。またこれらに限定されるものではなく、ハードディスクレコーダＢの動作にあわせた状態表示部を備えていてもよい。
【００４２】
制御部６ｂは、ハードディスクレコーダＢの各部の駆動を有機的に制御することにより、テレビ信号の受信処理、ハードディスクドライブ７への記録処理等を統括制御するための中央処理装置である。また制御部６ｂはハードディスクレコーダＢの各部の制御やデータの演算等を行う中枢部分である。
【００４３】
ハードディスクドライブ７は、記録媒体であり、信号処理部３ｂにて処理された各種データ、ハードディスクドライブ７が保持している各種データを記録するための記録媒体である。
【００４４】
入出力部８は、たとえば、ＣＲＴ等の外部装置に対してアナログ又はデジタルのテレビ信号を入出力するための入出力インターフェースである。なお、入出力部８には、図示を省略したＤ／Ａコンバータ（Ｄｉｇｉｔａｌ  Ａｎａｌｏｇ  Ｃｏｎｖｅｒｔｅｒ）又はＡ／Ｄコンバータ（Ａｎａｌｏｇ  Ｄｉｇｉｔａｌ  Ｃｏｎｖｅｒｔｅｒ）を備えており、信号処理部３ｂより出力されるテレビ信号がアナログ信号であっても、デジタル信号であっても外部機器に合わせて信号を出力することができる。
【００４５】
図４に図３に示すハードディスクレコーダにてＶＢＩデータを抽出し記録するフローチャートを示す。ユーザが所望するコンテンツ（例えば、電子番組表、天気予報、交通情報等）を取得するためのＶＢＩデータの抽出を開始する時間は予め決められている。制御部６ｂはハードディスクレコーダＢのメモリ４ｂにＶＢＩデータの抽出開始時間を記録する（ステップＳ２１）。なお、このＶＢＩデータの抽出開始時間の取得は、ハードディスクレコーダＢに備えられるキーボード、リモートコントロール装置或いはインターネット等を介して実現できる。制御部６ｂはメモリ４に記録されているＶＢＩデータの抽出を開始する時間を検出し、メモリ４ｂに記録されているＶＢＩデータを抽出する時間が近づいてくると、ハードディスクレコーダＢの電源を投入する（ステップＳ２２）。
【００４６】
ステップＳ２２にてハードディスクレコーダＢに電源が投入されると、制御部６ｂは表示部５ｂの中に配置されているデータ放送表示部５１に指示を送り、ＶＢＩデータを抽出するために電源が投入されたことを示す一次表示を行う（ステップＳ２３）。
【００４７】
制御部６ｂはハードディスクレコーダＢに電源が投入されると、ハードディスクレコーダＢを構成する各部の起動処理を行う（ステップＳ２４）。ここで、起動処理とはハードディスクドライブ７、メモリ４ｂ、信号処理部３ｂ等各部の接続状態のチェック、動作確認等、ハードディスクレコーダＢの駆動に支障がないことを制御部６ｂで確認する処理である。
【００４８】
この起動処理は、接続されているハードディスクドライブ７、メモリ４ｂ等の容量や、接続されている各部の接続状態等によって長くなる場合がある。その間、ハードディスクレコーダＢはテレビ放送を受信することができないので、ＶＢＩデータも抽出されていない。
【００４９】
ハードディスクレコーダＢの起動処理が開始されると、ハードディスク７より駆動音が発生したり、内部機器を冷却するための冷却用のファン（図示省略）が回転したりするので、ユーザはハードディスクレコーダＢの電源が自動的に投入されたことを認識する。このとき、データ放送表示部６１が一次表示を行っているので、ユーザはＶＢＩデータを抽出するためにハードディスクレコーダＢに電源が投入されたと認識することができる。
【００５０】
ハードディスクレコーダＢの起動処理（ステップＳ２４）が終了すると、制御部６ｂは表示部５ｂのＶＢＩデータ抽出表示部５２に指示を送り、ＶＢＩデータ抽出表示部５２にてＶＢＩデータを抽出することが可能になったことを示す二次表示を行う（ステップＳ２５）。この時点でハードディスクドライブＢはテレビ放送を受信することができるようになる。制御部６ｂは選局部１に指示を出し、選局部１にてテレビ信号をアンテナを介して受信し、受信したテレビ信号である高周波信号を中間周波数信号（ＩＦ信号）に変換する（ステップＳ２６）
【００５１】
ステップＳ２６で変換された中間周波数信号を復調部２にて復調する（ステップＳ２７）。復調部２にて復調されたテレビ信号は映像信号と音声信号を含んでいる。復調部２で復調されたテレビ信号に含まれる映像信号は信号処理部３ｂに送られ、信号処理部３ｂは映像信号のＶＢＩに重畳されているＶＢＩデータを抽出する（ステップＳ２８）。制御部６ｂはステップＳ２８で抽出されたＶＢＩデータがユーザの所望のコンテンツ用であるかどうか確認する（ステップＳ２９）。
【００５２】
ＶＢＩデータがユーザの所望のコンテンツ用ではない場合（ステップＳ２９でＮＯの場合）、制御部６ｂはユーザが所望するコンテンツ用のＶＢＩデータが抽出されるまで、ＶＢＩデータを抽出し（ステップＳ２８）、確認（ステップＳ２９）する。信号処理部３ｂで抽出されたＶＢＩデータがユーザの所望したコンテンツ用のＶＢＩデータであると確認した場合（ステップＳ２９でＹＥＳの場合）、制御部６ｂは抽出したＶＢＩデータをメモリ４に一時保管し、ハードディスクドライブ７に記録（ステップＳ２１０）する。このとき、必要であるならメモリ４に記録された複数のＶＢＩデータを結合し、１又は複数のコンテンツとしてハードディスクドライブ７に記録してもよい。ユーザの所望のコンテンツ用のＶＢＩデータのハードディスクドライブ７への記録が終了した時点で、制御部６ｂはハードディスクレコーダＢの電源をＯＦＦにする（ステップＳ２１１）。これにより、ハードディスクレコーダＢはユーザが所望するコンテンツを取得し、再び電源オフ状態に戻る。
【００５３】
ＶＢＩデータを取得して得るコンテンツとして、それに限定されないがここでは、電子番組表（Ｅｌｅｃｔｒｏｎｉｃ  Ｐｒｏｇｒａｍ  Ｇｕｉｄｅ：ＥＰＧ）、ニュース、天気情報、交通情報等を広く採用することができる。
【００５４】
本実施例において、ＶＢＩデータ抽出表示部は、電源オフ状態のデータ放送受信装置Ａ（ハードディスクレコーダＢ）がテレビ放送の映像信号に重畳されているＶＢＩデータを抽出するために電源を投入し、データ放送受信装置Ａ（ハードディスクレコーダＢ）の起動処理を行った後に表示を行うものを例に説明しているが、それに限定されるものではなく、ＶＢＩデータを抽出できる状態で表示されるものを広く採用することができる。また、ＶＢＩデータ表示による二次表示も起動直後に限定されるものではなく、ＶＢＩデータの受信中であっても、ＶＢＩデータを受信できなくなったとき（同期が取れなくなったり、システムが不安定になったり等）には表示をやめるものを利用しても良い。また、ＶＢＩデータ抽出表示部は、ＶＢＩデータの抽出の進捗状態を示すものであってもよい。この場合、ＶＢＩデータの抽出が可能になった時点で表示を開始し、ＶＢＩデータが抽出されることで徐々に大きくなるもの、数字にて進捗状況を示すものであってもよい。
【００５５】
さらに、本実施例において、データ放送表示部５１及びＶＢＩデータ抽出表示部５２はデータ放送受信装置Ａ（ハードディスクレコーダＢ）の表示部５ｂの内部に配置されるものを例に説明しているが、それに限定されるものではなく、表示部５ｂで表示されるものとは別の表示方法（例えば、ＬＥＤの点灯等）であっても良い。また、データ放送表示部とＶＢＩデータ抽出表示部とが同一の表示手段で形成されており、一次表示及び二次表示のときで色が変わるものであってもよい。この場合、表示手段を減らすことができ、それだけ、構成手段を減らすことが可能である。
【００５６】
本実施例において、データ放送受信装置の具体的な例としてハードディスクレコーダを例に説明しているが、それに限定されるものではなく、ハードディスク内臓ＤＶＤレコーダ、テレビ受像機、ＶＴＲ等の映像機器のうち、テレビ信号のＶＢＩに重畳されたＶＢＩデータを抽出可能なものを広く採用することができる。また、映像機器の外部に取り付けるデータ放送受信専用の機器であっても良い。テレビ受像機、ＶＴＲ等の映像機器の場合、ＶＢＩデータを記録、保存するための記録媒体を備えていることが好ましい。
【産業上の利用可能性】
【００５７】
本発明は、映像信号のＶＢＩに重畳されるＶＢＩデータを抽出することができる電子機器において適用することができる。
【図面の簡単な説明】
【００５８】
【図１】本発明にかかるデータ放送受信装置のブロック図である。
【図２】図１に示すデータ放送受信装置におけるデータ放送の受信方法のフローチャートである。
【図３】本発明にかかるデータ放送受信装置の一例であるハードディスクレコーダのブロック図である。
【図４】図データ放送の受信方法のフローチャートである。
【符号の説明】
【００５９】
Ａ  データ放送受信装置
１  選局部
２  復調部
３  信号処理部
４  メモリ
５  表示部
５１  データ放送表示部
５２  ＶＢＩデータ抽出表示部
６  制御部
７  ハードディスクドライブ
８  入出力部
【図１】
2007180978.tif 000003
【図２】
2007180978.tif 000004
【図３】
2007180978.tif 000005
【図４】
2007180978.tif 000006